(57)【要約】      （修正有）【課題】バレーボール型競技やストレッチ運動等に使用出来、健康保持にもよく安全性の高いヘルススポーツ用ボールを提供する。【解決手段】ヘルススポーツ用ボールは空気の注入により楕円状に膨出するベース体と、ベース体を覆いベース体の膨出時においてベース体に密接して一体化される被包体とからなり、安全で、かつ各種のスポーツや競技に適用可能である。また、比較的安価に購入出来、安全性も高い。【選択図】図１
0003204615.tif 000002
【実用新案登録請求の範囲】
【請求項１】
空気の注入により楕円状に膨出するベース体と、該ベース体を覆い前記ベース体の膨出時において前記ベース体に密接して一体化される被包体とからなることを特徴とするヘルススポーツ用ボール。
【請求項２】
前記ベース体がポリ塩化ビニールＰＶＣからなり、前記被包体が布体からなることを特徴とする請求項１に記載のヘルススポーツ用ボール。
【請求項３】
前記被包体には２色又は複数色の色別部が形成されることを特徴とする請求項１に記載のヘルススポーツ用ボール。
【請求項４】
前記被包体には文字又は画像が表示されることを特徴とする請求項１に記載のヘルススポーツ用ボール。
【考案の詳細な説明】
【技術分野】
【０００１】  本考案は、人体を鍛えるための運動や遊技に使用されるボールに係り、例えばバレーボール型競技やストレッチ運動等に使用されるヘルススポーツ用ボールに関する。
【背景技術】
【０００２】  身体を鍛錬する方法としては極めて多くのものがあるが空気入りの軽いボールを用いて競技をするものも広く使用されている。
正式な激しい競技でなく、身体を鍛えながら楽しく遊べるものとしては空気入りのボールの如きものを使用するとかなりの効果を上げることが立証されている。
本考案のボールは後に説明する形態のものであるが、公知技術として同一類似するものは見当らない。
本願の出願人の調査によると空気入りではないがガスを注入したボールを用いてバレーボール型スポーツを行う簡便型構造の公知技術として「特許文献１」が挙げられる。
【先行技術文献】
【特許文献】
【０００３】
【特許文献１】特開２０００−１４０１７８号」（図１）  前記の「特許文献１」の「特開２０００−１４０１７８号」の「軽量ガスバルーン」を利用したバレーボール式スポーツ用具」は軽量ガスを注入したバルーンを用いて競技をするものであるが、競技内容が限定するものであって本考案のように広い使用範囲に使用出来るとは相違するものである。
【考案の概要】
【考案が解決しようとする課題】
【０００４】  本考案は色々な運動や遊技に使用出来るボールであり、形状も特殊があり、色合いも模様もいろいろ表示することが出来、注入体が空気であり安全性もよく、軽量であり、子供から老人までも使用可能なヘルススポーツ用ボールを提供することを目的とする。
【課題を解決するための手段】
【０００５】  本考案は、以上の目的を達成するために、請求項１の考案は、空気の注入により楕円状に膨出するベース体と、該ベース体を覆い前記ベース体の膨出時において前記ベース体に密接して一体化される被包体とからなることを特徴とする。【０００６】  また、請求項２の考案は、前記ベース体がポリ塩化ビニールＰＶＣからなり、前記被包体が布体からなることを特徴とする。【０００７】  また、請求項３の考案は、前記被包体には２色又は複数色の色別部が形成されることを特徴とする。【０００８】  また、請求項４の考案は、前記被包体には文字又は画像が表示されることを特徴とする。
【考案の効果】
【０００９】  本考案の請求項１のヘルススポーツ用ボールは、空気入りで楕円形のボールからなり、各種の運動や競技に使用可能であり、かつ遊技としても広く使用されその利用範囲は極めて広い。また、空気入りのため安全性が高い。また、空気を抜く事により小さくすることが出来、保管の小スペース化が出来る。また、空気を使用するため注入も容易に出来る。【００１０】  また、本考案の請求項２のヘルススポーツ用ボールによれば、ベース体は一般に使用されているＰＶＣからなり比較的安価に製作することが出来る。また、布体により被包されているため美観の向上も図れる。また、布体の被包によりベース体の保護が図られる。【００１１】  また、本考案の請求項３のヘルススポーツ用ボールによれば、布体の被包体に色分けや多色の模様を形成することが出来、美観の向上を図ることが出来る。【００１２】  また、本考案の請求項４のヘルススポーツ用ボールによれば、被包体に文字や画像を表示することが出来、利用価値の向上と一層の美観の向上を図ることが出来る。
【図面の簡単な説明】
【００１３】
【図１】２色に色分けされた本考案のヘルススポーツ用ボールの形状を示す外観図。
【図２】図１のＡ−Ａ線断面図。
【図３】図１のＢ−Ｂ線断面図。
【図４】文字を付したヘルススポーツ用ボールを示す外観図。
【図５】画像を示したヘルススポーツ用ボールを示す外観図。
【考案を実施するための形態】
【００１４】  以下、本考案のヘルススポーツ用ボールの実施の形態を図面を参照して詳述する。
【実施例１】
【００１５】  図１は２色に色分けされたヘルススポーツ用ボールの外観形状を示すものであり、布体の被包体１は上下２色に色分けされ具体的には黒色と赤色と２分されたものからなるが勿論これに限定するものではなく、色別も色の種類も多色のものであっても良い。
図２及び図３は本考案のヘルススポーツ用ボールの構成を示したものである。即ち、ヘルススポーツ用ボール１００はベース体１とこれを被包する被包体２と空気４をベース体１内に注入して全体を楕円形状にする空気栓３等とからなる。
ベース体１はポリ塩化ビニールＰＶＣからなり、１ｍｍ位の薄皮のものからなり、空気栓３から空気を注入することにより楕円形の形状に膨出する。空気圧は特に限定するものではないが７ｋｇ／ｃｍ２以下の通常使用されているものである。
一方、被包体２は布体であり、特に材質を限定するものではなく、この実施例では前記のように２色（黒と赤）に２等分に色別したものからなる。なお、このヘルススポーツ用ボールを用いて色々の運動が出来、例えばバレーボールやストレッチ運動等を行うことが出来る。また、日本ヘルスバレーボール連盟ではバレーボールの競技にこのものを使用しているようであり、その他色々の競技が行われているようである。
【実施例２】
【００１６】  図４に示すように被包体２には文字を表示するものであってもよい。実施例２では文字としてＡＢＣを表示しているが文字の内容は使用者の必要とするものでよく、限定するものではない。
【実施例３】
【００１７】  実施例３は被包体２に筋肉トレーニングに使用するにふさわしい画像の一例を表示したものである。この画像もそのトレーニングにふさわしいものが好ましいが特に限定するものではない。【００１８】  本考案は以上の内容のものからなるが、その内容は前記のものに限定するものではなく、同一の技術的範疇のものが適用される事は勿論である。
【産業上の利用可能性】
【００１９】  本考案のヘルススポーツ用ボールは老若男女の全ての人々に対して使用，適用可能であり、色々のスポーツや遊技に使用出来、その利用範囲は極めて広い。
【符号の説明】
【００２０】  １      ベース体
２      被包体
３      空気栓
４      空気
１００  ヘルススポーツ用ボール
【図１】
0003204615.tif 000003
【図２】
0003204615.tif 000004
【図３】
0003204615.tif 000005
【図４】
0003204615.tif 000006
【図５】
0003204615.tif 000007